(57)【要約】【課題】シリンダブロックを、できるだけ軽量化しつつシリンダヘッドとの密着性を高めた構造として提供する。【解決手段】シリンダブロックには、シリンダボアの群を囲うウォータジャケット２が形成されており、ウォータジャケット２のうちボア間部３の外側の部位は、傾斜部４ａを有する谷状部４になっている。シリンダブロックのうち、ウォータジャケット２を挟んで谷状部４の外側には、ヘッドボルト穴１６が形成されている。ヘッドボルト穴１６の下方には、横長メインギャラリーを形成するための油路用ボス１４が形成されている。ヘッドボルト穴１６を囲うヘッドボルトボスの下方に空所１８ａが形成されており、ヘッドボルトボスと油路用ボス１４とが、空所１８ａを挟んで前後両側に位置したリブ１９ａ，１９ｂによって繋がっている。【選択図】図６
2019138177.tif 000002
【特許請求の範囲】
【請求項１】
シリンダボアがクランク軸心方向に並んで複数形成されていると共に、前記シリンダボアの群を囲うウォータジャケットが、ボア間部の外側において深さが深くなった谷状部となるように形成されており、
更に、前記ボア間部を挟んで前記ウォータジャケットよりも外側の部位に、ヘッドボルトがねじ込まれるヘッドボルト穴を形成しており、クランク軸心と平行な長手一側面のうち前記ヘッドボルト穴の外側の部位に、前記ヘッドボルト穴を囲うヘッドボルトボスが上下に長く形成されている構成であって、
前記長手一側面のうち前記ヘッドボルト穴の下方に凹所を形成し、前記凹所を挟んだ両側に、前記ヘッドボルトボスに繋がった一対のリブを形成している、
内燃機関のシリンダブロック。
【請求項２】
前記クランク軸心と直交した側面視で、前記リブの上端が前記ウォータジャケットの谷状部と部分的に重なっている、
請求項１に記載した内燃機関のシリンダブロック。
【請求項３】
シリンダボアがクランク軸心方向に並んで複数形成されていると共に、前記シリンダボアの下方の部分は、クランクウエイトの回転を許容するため、クランク軸心と直交した方向に広がった膨出部になっており、
更に、ボア間部を挟んでクランク軸心と反対側に位置した部位に、ヘッドボルトがねじ込まれるヘッドボルト穴を形成しており、クランク軸心と平行な長手一側面のうち前記ヘッドボルト穴の外側の部位に、前記ヘッドボルト穴を囲う断面円弧状のヘッドボルトボスが上下に長く形成されている構成であって、
前記長手一側面のうち前記膨出部の上端部に、クランク軸心に長く延びる主オイル通路を形成する油路用ボスが形成されており、前記ヘッドボルトボスと油路用ボスとがリブで連結されている、
内燃機関のシリンダブロック。
【発明の詳細な説明】
【技術分野】
【０００１】
本発明は、内燃機関のシリンダブロックに関するものである。
【背景技術】
【０００２】
シリンダブロックは内燃機関の必須要素であり、シリンダボアとウォータジャケットが形成されている。また、シリンダブロックには、シリンダヘッドを固定するためのヘッドボルト穴が、ウォータジャケットを囲う位置に複数本形成されている。自動車用の内燃機関は一般に多気筒であり、ウォータジャケットは、ボア間部に向けて入り込んでいる。そして、ヘッドボルト穴はウォータジャケットを囲うように点在しているが、隣り合ったシリンダボアの間では、ヘッドボルト穴は、ボア間部を挟んでウォータジャケットの外側に形成されている。
【０００３】
また、シリンダブロックのうちシリンダボアよりも下方の部位は、クランクウエイトの回転を許容するため、クランク軸心と直交した幅方向に広がる膨出部になっており、膨出部の上端部かその近傍に、クランク軸心方向に長いメインギャラリーを形成していることが多い。ピストンを冷却するオイルジェット装置は、メインギャラリーから分岐した枝通路の終端部に設けていることが多い。
【０００４】
シリンダブロックの長手一側面には、補強用のリブなどか形成されていて複雑な形状になっており、様々な目的により、様々な形態を付加されている（例えば特許文献１〜３）。
【先行技術文献】
【特許文献】
【０００５】
【特許文献１】実開昭５８−０７４８５１号のマイクロフィルム
【特許文献２】実開昭６１−１１３９３４号のマイクロフィルム
【特許文献２】実開昭６４−００３０１５号のマイクロフィルム
【発明の概要】
【発明が解決しようとする課題】
【０００６】
さて、シリンダブロックは、燃費の向上のためにできるだけ軽量化することが求められている。そして、ヘッドボルト穴の箇所には、シリンダブロックの長手一側面に突出したヘッドボルトボスが上下に長く形成されているが、これも、ヘッドボルト穴の周囲の肉をできるだけ減らして軽量化するための措置であると云える。
【０００７】
また、シリンダブロックでは、ヘッドボルトの締め付けによってシリンダボアのひずみを引き起こさないように、ウォータジャケットは、ボア間部の近傍部において最も深くなるように設定していることがある。すなわち、ウォータジャケットが、等しい深さの等深部と、等深部の端に連続してボア間部の近傍部に向けて徐々に深さが深くなっていく谷状部とを有する形態になっていることがある。
【０００８】
ここで問題は、ウォータジャケットに谷状部が存在すると、シリンダブロックが、谷状部のうち傾斜部の外側に位置した部位において強度が低下することであり、すると、ボア間部の外側に位置したヘッドボルトを締め込んでも、シリンダブロックのうち谷状部があるエリアは、ヘッドボルトの周囲の僅かの部分だけがシリンダヘッドに強く密着して、ヘッドボルトを挟んでクランク軸線方向に離れた部位はシリンダヘッドとの密着性が悪くなる現象が発生し、結果として、シリンダブロックとシリンダヘッドとの密着性が不均一になるおそれがある。特に、アルミ製のシリンダブロックの場合は、この問題が顕著に現れやすい。
【０００９】
そして、シリンダヘッドとシリンダブロックとの密着性（正確には、シリンダヘッド及びシリンダブロックとカスケットとの密着性）が不均一になると、長期にわたって運転しているうちに、燃焼ガスの漏洩のような不具合が発生することが懸念される。
【００１０】
この点については、シリンダブロックの長手側部の肉厚を厚くすればよいと云えるが、かくすると、シリンダブロックの重量が増大して燃費が悪化するおそれがある。
【００１１】
本願発明このような現状を契機に成されたものであり、シリンダヘッドを均等に密着させ得るような強度を確保しつつ軽量化できるシリンダブロックを提供することを課題としている。
【課題を解決するための手段】
【００１２】
請求項１の発明は、
「シリンダボアがクランク軸心方向に並んで複数形成されていると共に、前記シリンダボアの群を囲うウォータジャケットが、ボア間部の外側において深さが深くなった谷状部となるように形成されており、
更に、前記ボア間部を挟んで前記ウォータジャケットよりも外側の部位に、ヘッドボルトがねじ込まれるヘッドボルト穴を形成しており、クランク軸心と平行な長手一側面のうち前記ヘッドボルト穴の外側の部位に、前記ヘッドボルト穴を囲うヘッドボルトボスが上下に長く形成されている」
という基本構成になっている。
【００１３】
そして、上記基本構成において、前記長手一側面のうち前記ヘッドボルト穴の下方に凹所を形成し、前記凹所を挟んだ両側に、前記ヘッドボルトボスに繋がった一対のリブを形成している。
【００１４】
請求項１の発明の好適な展開例として、請求項２では、前記クランク軸心と直交した側面視で、前記リブの上端が前記ウォータジャケットの最深部近傍と部分的に重なっている。
【００１５】
請求項３の発明は独立した概念であり、
「シリンダボアがクランク軸心方向に並んで複数形成されていると共に、前記シリンダボアの下方の部分は、クランクウエイトの回転を許容するため、クランク軸心と直交した方向に広がった膨出部になっており、
更に、ボア間部を挟んでクランク軸心と反対側に位置した部位に、ヘッドボルトがねじ込まれるヘッドボルト穴を形成しており、クランク軸心と平行な長手一側面のうち前記ヘッドボルト穴の外側の部位に、前記ヘッドボルト穴を囲う断面円弧状のヘッドボルトボスが上下に長く形成されている」
という基本構成になっている。
【００１６】
そして、前記長手一側面のうち前記膨出部の上端部に、クランク軸心に長く延びる主オイル通路を形成する油路用ボスが形成されており、前記ヘッドボルトボスと油路用ボスとがリブで連結されている。
【発明の効果】
【００１７】
請求項１において、ボア間部の外側に位置したヘッドボルトの引っ張り力は、外側に膨れたヘッドボルトボスを介して一対のリブに作用するが、一対のリブは谷状部の下方部に配置されているため、ヘッドボルトの締め込みによって一対のリブに作用した上向きの引っ張り力を、シリンダブロックのうち谷状部の外側の部分（ヘッドボルトボスをはさんで、クランク軸線方向に向いて前後両側の部分）に広く分散させることができる。
【００１８】
その結果、ヘッドボルトを所定のトルクでねじ込んでも、シリンダブロックをシリンダヘッドに均等に密着させることができる。また、ヘッドボルトボスの下方は空所になっているため、軽量化できると共に、ヘッドボルトの締め付け力が一対のリブを介して広い範囲に作用することを確実化できる（ヘッドボルトの締め込みによる引っ張り力を、リブに効率良く伝えることができる。）。
【００１９】
従って、請求項１では、シリンダブロックをできるだけ軽量化しつつ、燃焼ガスの漏洩のような不具合を防止して、内燃機関の信頼性を向上させることができる。
【００２０】
特に、実施形態のように、ヘッドボルトの下方だけでなく前後両側（クランク軸線を前後方向として前後両側）にも凹所を形成すると、シリンダブロックのうち谷状部の傾斜部の外側に位置した部分は下方を縁切りした状態でリブによって上向きに押される状態になることから、ボア間部の外側に位置したヘッドボルトの引っ張り力を、シリンダブロックのうちウォータジャケットにおける谷状部の外側に位置した部分の全体に対して広く作用させることができるため、シリンダヘッドとの密着性の均一化に一層貢献できる。
【００２１】
シリンダブロックの強度低下は、ウォータジャケットに谷状部が存在することによって発生するものであるが、請求項２の構成では、リブの上部が谷状部の外側に位置しているため、ヘッドボルトの締め付け力を谷状部の外側の壁部にダイレクトに作用させることができる。このため、ヘッドボルトの引っ張り力の分散機能を確実化して、シリンダブロックとシリンダヘッドとの密着性の向上に更に貢献できる。
【００２２】
請求項３において、油路用ボスは補強機能を有しているが、シリンダブロックの膨出部の上端部に形成されているため、特に頑丈な構造になっている。そして、請求項３では、ヘッドボルトボスと油路用ボスとがリブを介して繋がっているため、ヘッドボルトの締め付けに際しての引っ張り力を、油路用ボスに作用させることができる。
【００２３】
そして、油路用ボスはクランク軸心方向に長い形態であるため、ヘッドボルトの締め付けに際しての引っ張り力を、油路用ボスを介してシリンダブロックの膨出部に広く作用させることができる。従って、ボア間部の外側に位置したヘッドボルトを所定のトルクでねじ込んでも、応力集中を抑制して高い締結力を確保できる。その結果、シリンダブロックをできるだけ軽量化しつつ、シリンダヘッドとシリンダブロックとの密着性を高めて、内燃機関の信頼性を向上させることができる。
【００２４】
また、ヘッドボルトの締め付けによる引っ張り力が油路用ボスに広い範囲で作用するため、引っ張り力を分散させて、特定部位に応力が集中することを防止できる。その結果、シリンダブロックがひずみやすくなることを防止きる。この面でも、シリンダヘッドとシリンダブロックとの密着性を高めて、内燃機関の信頼性を向上させることができる。
【図面の簡単な説明】
【００２５】
【図１】実施形態に係るシリンダブロックの斜視図である。
【図２】シリンダブロックの平面図である（平行斜線は上面の形状を明示するための措置であり、断面の表示ではない。）。
【図３】（Ａ）はシリンダブロックの側面図、（Ｂ）は（Ａ）の要部拡大図である。
【図４】図２の IV-IV視箇所で切断した斜視図である。
【図５】図２のＢ−Ｂ視線で切断した斜視図である。
【図６】（Ａ）は図１のＡ−Ａ視断面図、（Ｂ）は図２のＢ−Ｂ視断面図である。
【図７】図３（Ｂ）の VII-VII視平断面図である。
【発明を実施するための形態】
【００２６】
(1).概要
次に、本願発明の実施形態を図面に基づいて説明する。図１，２に示すように、本実施形態は３気筒内燃機関のシリンダブロックに適用している。従って、上面及びクランク室に開口した３つのシリンダボア１が、クランク軸線方向に並んで形成されている。
【００２７】
本願発明では、方向を特定するため前後・左右の文言を使用するが、クランク軸線方向を前後方向として、クランク軸線と直交した幅方向を左右方向としている。念のため、図１に方向を明示している。シリンダブロックは、タイミングチェーンが配置される側（一端面）を前として定義している。３つのシリンダボア１は、便宜的に、前から順に、第１、第２の番号を付けて表示することがある。
【００２８】
シリンダブロックはアルミの鋳造品であり、このシリンダブロックには、シリンダボア１の群を囲う閉ループのウォータジャケット２が上向きに開口している。ウォータジャケット２は、ボア間部３に対応した箇所では、ボア間部３に向けて入り込んでおり、かつ、図５や図６（Ｂ）に示すように、ボア間部３の近傍部は谷状部４になっている。従って、谷状部４は、図６（Ｂ）に明示するように、谷底部４ｂに向けて傾斜した傾斜部４ａを有している。また、谷状部４を除いた部位は、深さが変化しない等深部５になっている。
【００２９】
図６（Ｂ）に示すように、谷底部４ｂは平坦になっており、従って、谷状部４は逆台形状になっているが、側面視でボア間部３の中間部が最も深くなるように、全体としてＶ形に形成してもよい。その場合、谷底部４ｂを、丸みを持った鍋形に形成してもよい。
【００３０】
図１に示すように、シリンダブロックの長手一側面６でかつ一端面（前端面）７に寄った部位には、排気ターボ過給機の冷却水取り出し口８を設けている。他方、図２に示すように、ウォータジャケット２のうち、シリンダブロックの一端面７に寄った部位でかつ冷却水取り出し口８と反対側の部位に、ウォータポンプから圧送された冷却水をウォータジャケット２に送る流入口９を形成している。なお、冷却水は、シリンダブロックのウォータジャケット２からシリンダヘッドのウォータジャケットに流入する。
【００３１】
図１，４，５に部分的に表示するように、シリンダブロックの前後両壁部に、クランク軸を回転自在に保持するエンドジャーナル１０が形成されている。そして、シリンダブロックのうちシリンダボア１の下方の部位は、クランクアームやカウンターウエイトの回転を許容するため、左右方向に膨れた膨出部（クランクケース）１１になっている。図４に示すように、膨出部１１の内部のうちボア間部３の下方には隔壁１２が一体に形成されており、隔壁１２に、カム軸を支持する中間ジャーナル（図示せず）が形成されている。
【００３２】
シリンダブロックの長手一側面（排気側）のうち膨出部１１の上端部に、オイルが流れる主オイル通路（横長メインギャラリー）１３が、クランク軸線方向に長く延びるように形成されている。そして、図１や図７に示すように、シリンダブロックの長手一側面６には、主オイル通路１３を形成するための油路用ボス１４が形成されている。
【００３３】
主オイル通路１３は長手一側面６の全長に亙って形成されているが、油路用ボス１４は、１番目のシリンダボア１と２番目のシリンダボア１とに対応した箇所に、部分的にしか形成されていない。これは、長手一側面６に多数の突起などが形成されているからであり、条件が許せば、油路用ボス１４が長手一側面６の略全長にわたって延びるように形成することも可能である。
【００３４】
例えば図４に示すように、シリンダブロックのうち長手一側面６の側でかつ一端面７に寄った部位に、主オイル通路１３からオイルをシリンダヘッドに送る縦長オイル通路１５が形成されている。
【００３５】
(2).ヘッドボルト・リブ
図２のとおり、シリンダブロックには、シリンダヘッドを固定するヘッドボルト（図示せ）がねじ込まれるヘッドボルト穴１６を形成している。ヘッドボルト穴１６は、クランク軸心を挟んだ両側に４個ずつ形成されており、中間部の２個は、ウォータジャケット２を挟んでボア間部３の外側に形成されており、前後端の２個は、ウォータジャケット２の前後端部の近くに形成されている。左右の４個のヘッドボルト穴１６は一直線状に並んでおり、また、前後に隣り合ったヘッドボルト穴１６の間隔寸法は一定になっている。
【００３６】
図１〜３に示すように、ボア間部３の外側に位置したヘッドボルト穴１６は、外側から円弧状のヘッドボルトボス１７で囲われている。すなわち、外側に膨れた状態で上下に長い姿勢のヘッドボルトボス１７の箇所にヘッドボルト穴１６を形成している。なお、図４の IV-IV視断面図では、厳密には、ヘッドボルト穴１６は現れないが、図４では、ヘッドボルト穴１６も実線で表示している。ヘッドボルトボス１７は平断面視で円弧状になっているが、台形状のような平断面形状も採用可能である。
【００３７】
図６ではヘッドボルト穴１６を仮想線で表示しているが、この図から理解できるように、ヘッドボルト穴１６及びヘッドボルトボス１７は、ウォータジャケット２における谷状部４の谷底部４ｂと同じ程度の深さになっている。なお、ヘッドボルトはリーマボルトになっており、従って、ヘッドボルト穴１６の内径は段付き状になっているが、一部は簡略して表示している。
【００３８】
ヘッドボルト穴１６及びヘッドボルトボス１７と油路用ボス１４との間には、ある程度の間隔が上下方向に空いている。そして、図１，３，７等に示すように、ヘッドボルト穴１６及びヘッドボルトボス１７と油路用ボス１４との間に側面視角形の凹所１８を形成して、凹所１８を挟んだ前後両側に、ヘッドボルトボス１７と油路用ボス１４とに繋がった前後一対のリブ（補強リブ）１９ａ，１９ｂを、側面視でハ字姿勢になるようにして形成している。
【００３９】
ヘッドボルトボス１７の前後両側にも、凹所１８ｂ，１８ｃが形成されている。凹所１８ａ〜１８ｃの内面は、ウォータジャケット２の内周と同じ程度の外径になっている。つまり、ウォータジャケット２の下方において、気筒の外周面が、凹所１８ａ〜１８ｃの箇所において露出している。これら凹所１８ａ〜１８ｃの存在により、軽量化されていると共に、熱ひずみの発生を防止している。
【００４０】
ヘッドボルトボス１７の前後両側に位置した凹所１８ｂ，１８ｃは、ヘッドボルトボス１７の下方に位置した凹所１８ａよりも大きな面積になっている。また、手前の凹所１８よりも、後ろの凹所１８ｃの方が大きく形成されている。更に、前後両側の凹所１８ｂ，１８ｃの底面には、上下長手の突条１８ｅが形成されている。突条１８ｅは、ウォータジャケット２のうち最も左右方向に広がった部分の下方に位置している。
【００４１】
前後の補強リブ１９ａ，１９ｂは前後対称形状にはなっておらず、手前側に位置したリブ１９ａは長さ（高さ）が短くなっている。これは、冷却水取り出し口８が形成されたボス体と緩衝するためである。冷却水取り出し口８が存在しない場合は、前後対称の形状・高さに形成してもよい。
【００４２】
また、図６（Ｂ）に明示するように、リブ１９ａ，１９ｂの上端部は、側面視でウォータジャケット２の谷状部４と部分的に重なっている。すなわち、リブ１９ａ，１９ｂの上端部は、ウォータジャケット２における谷状部４の外側に位置している。
【００４３】
(3).まとめ
さて、シリンダヘッドは８本のヘッドボルトでシリンダブロックに固定されているが、本実施形態のようなリブ１９a ，１９ｂ等を設けていないと、第１シリンダボア１の前後両側において、シリンダヘッドとシリンダブロックとの密着性が低下する現象が見られた。これは、ウォータジャケット２のうちボア間部３の外側の部位は谷状部４になっていて、ヘッドボルトボス１７の下端部を挟んだ左右両側が薄肉になっており、変形しやすいからである。
【００４４】
この点については、ヘッドボルトボス１７の下方の部位を、ある程度の前後幅で厚肉に形成したらよいと云えるが、これでは、シリンダブロックに使用する金属材料の両が増大するため、コストが嵩んでしまう。
【００４５】
そこで、本実施形態では、ヘッドボルトボス１７の下方に凹所１８ａを形成すると共に、凹所１８ａを挟んで前後両側の部位に、ヘッドボルトボス１７と油路用ボス１４とに繋がったリブ１９ａ，１９ｂを形成したものであり、このように構成する、ヘッドボルトのねじ込みによってヘッドボルトボス１７に作用した引っ張り力は、前後のリブ１９ａ，１９ｂを介して、ヘッドボルトボス１７の前後両側の範囲に広く作用するため、ヘッドボルトによる引っ張り力を、図５及び図６（Ｂ）にＸで示す前後両側の広い範囲に分散して作用させて、シリンダヘッドとの密着性を向上できる。
【００４６】
つまり、シリンダブロックはリブ１９ａ，１９ｂの箇所で上下方向の曲げ力と剪断力とが格段に向上しているが、ヘッドボルトボス１７とリブ１９ａ，１９ｂとが繋がっているため、ヘッドボルトの引っ張り力がリブ１９ａ，１９ｂを介してヘッドボルトボス１７の前後両側の広い範囲に作用するのであり、このため、シリンダブロックがヘッドボルトボス１７の前後両側に変形することを大きく抑制して、シリンダブロックとシリンダヘッドとの密着性を向上できるのである。
【００４７】
更に、本実施形態では、ヘッドボルトボス１７の前後両側にも凹所１８ｂ，１８ｃが形成されているため、例えば図６（Ｂ）に示すように、谷状部４の傾斜部４ａと前後の凹所１８ｂ，１８ｃとの間に傾斜壁部２０ａ，２０ｂが形成されており、前後の傾斜壁部２０ａ，２０ｂは逆ハ字の姿勢を成しているが、傾斜壁部２０ａ，２０ｂとリブ１９ａ，１９ｂとが半径方向（厚さ厚さ方向に）に部分的に重なっているため、リブ１９ａ，１９ｂに作用した上向きの引っ張り力によって傾斜壁部２０ａ，２０ｂが上向きに押し上げられるような状態になる。
【００４８】
その結果、ヘッドボルトの引っ張り力を、谷状部４の外側全体の部分に広く作用させることができて、シリンダブロックとシリンダヘッドとの密着性の向上に一層貢献できる。さて、凹所１８ａ〜１８ｃは軽量化とひずみの防止との役割を持っているが、本実施形態では、凹所１８ａ〜１８ｃを利用して、ヘッドボルトの引っ張り力を、谷状部４の外側の部分が全体的に上向きに引き上げることに有効利用しているといえる。
【００４９】
本願発明では、リブ１９ａ，１９ｂは油路用ボス１４に繋がっているが、リブ１９ａ，１９ｂが凹所１８の両側にあって引っ張り力が前後に分かれて作用することと、油路用ボス１４が前後長手に形成されていて、リブ１９ａ，１９ｂによる引っ張り力が油路用ボス１４に分散して作用することとにより、ヘッドボルトの締め付けにより、いわば、谷状部４の外側の部位が、油路用ボス１４で全体的に持ち上げられるような状態になる。
【００５０】
従って、谷状部４の外側の部分の肉が上下方向に伸び変形することを防止して、ヘッドボルトを所定のトルクで締め付けつつ、シリンダヘッドをシリンダブロックに均等に密着させる機能が向上する。また、凹所１８が存在するため、ヘッドボルトの締め付けによる引っ張り力は前後に分離して油路用ボス１４に作用するため、油路用ボス１４の広い範囲に引っ張り力を作用させることを確実化できる。
【００５１】
本実施形態では、リブ１９ａ，１９ｂは第１シリンダボア１と第２シリンダボア１との間のボア間部３の一方の外側のみに形成したが、他のボア間部３の外側に形成してもよい。
【産業上の利用可能性】
【００５２】
本願発明は、内燃機関のシリンダブロックに具体化できる。従って、産業上利用できる。
【符号の説明】
【００５３】
１  シリンダボア
２  ウォータジャケット
３  ボア間部
４  ウォータジャケットの谷状部
５  ウォータジャケットの等深部
６  長手一側面（排気側面）
７  一端面（前面）
１１  膨出部
１３  主オイル通路（横長メインギャラリー）
１４  油路用ボス
１６  ヘッドボルト穴
１７  ヘッドボルトボス
１８ａ〜１８ｃ  空所
１９ａ，１９ｂ  リブ
【図１】
2019138177.tif 000003
【図２】
2019138177.tif 000004
【図３】
2019138177.tif 000005
【図４】
2019138177.tif 000006
【図５】
2019138177.tif 000007
【図６】
2019138177.tif 000008
【図７】
2019138177.tif 000009